(57)【特許請求の範囲】
【請求項１】
ガイドレール（２）内に組み付けられる閉じ支援ユニット（４）と、ガイドレール（２）に固定される切換具（２０）とを備えており、
閉じ支援ユニット（４）が、閉じばね（２１）の張力で戸パネル（１）を閉じ操作する閉止構造と、閉じばね（２１）を蓄力できる状態と、蓄力された閉じばね（２１）の張力を出力できる状態とに閉止構造を切り換える切換構造と、戸パネル（１）の閉じ動作を制動するダンパー（２２）とをケース（２３）に収容して構成されており、
切換構造が、可動ブロック（３４）で復帰ばね（５７）を介して左右スライド可能に支持されるトリガーベース（５１）と、トリガーベース（５１）でシーソー揺動可能に支持されて切換具（２０）の受溝（７９）に係脱するトリガーアーム（５２）と、トリガーアーム（５２）を係合付勢するトリガーばね（６３）と、可動ブロック（３４）に支持されてケース（２３）のロック開口（２５）に係脱するロックアーム（５３）を備えているトリガー型の閉じ支援装置であって、
ロックアーム（５３）とロック開口（２５）との係合が解除されたロック解除状態において、トリガーアーム（５２）が切換具（２０）から離れる向きへ沈み込み揺動するのを規制するロック構造が、可動ブロック（３４）とトリガーアーム（５２）との間に設けてあることを特徴とする引戸の閉じ支援装置。
【請求項２】
ロック構造が、トリガーアーム（５２）に設けた接当体（９０）と、可動ブロック（３４）に設けられて、前記接当体（９０）を受け止める規制体（８５）とで構成してある請求項１に記載の引戸の閉じ支援装置。
【請求項３】
ロック構造が、トリガーアーム（５２）の前後に設けたロックピン（９０）と、可動ブロック（３４）に設けられて、前記ロックピン（９０）を受け止める前後一対のロック腕（８５）とで構成されており、
ロックピン（９０）の揺動領域に臨むアーム凹部（５８）の前後に、ロック腕（８５）をスライド案内するガイド部（８９）が形成されており、
ロック腕（８５）がロックピン（９０）の沈み込み揺動を規制する状態において、ガイド部（８９）がロック腕（８５）を受け止めている請求項２に記載の引戸の閉じ支援装置。
【請求項４】
ロック腕（８５）の突端に、ロックピン（９０）を受け止める受座（８６）と、受座（８６）へ向かって上り傾斜するガイド面（８７）とが形成してある請求項３に記載の引戸の閉じ支援装置。
【請求項５】
トリガーアーム（５２）が、アーム本体（５２ａ）と、アーム本体（５２ａ）の外面を覆って衝撃を緩和する外装体（５２ｂ）とで構成されており、
アーム本体（５２ａ）が外装体（５２ｂ）の成形時にインサート固定してある請求項２から４のいずれかひとつに記載の引戸の閉じ支援装置。
【発明の詳細な説明】
【技術分野】
【０００１】
本発明は、引戸の戸パネルを閉じ端寄りにおいて自動的にゆっくりと閉じ操作できる引戸の閉じ支援装置に関する。
【背景技術】
【０００２】
本発明の閉じ支援装置に関して、本出願人は類似構造の閉じ支援装置を先に提案している（特許文献１）。そこでは、ガイドレール内に組み付けられる閉じ支援ユニットと、ガイドレールの上壁内面に固定される切換具とで閉じ支援装置を構成している。閉じ支援ユニットは、閉じばねの張力で戸パネルを閉じ操作する閉止構造と、先の切換具で切り換え操作される切換構造と、戸パネルの閉じ動作を制動するダンパーと、これらの部材を収容するケースなどで構成している。
【０００３】
図１７に示すように切換構造は、可動ブロック１２１に対して左右スライド可能に連結されるトリガーベース１２２と、同ベース１２２でシーソー揺動可能に支持されて切換具１２３の受溝１２４に係脱するトリガーアーム１２５と、トリガーアーム１２５を係合付勢するトリガーばね１２６と、可動ブロック１２１の下面に設けたロックアーム１２７などで構成してある。ケース１２８の底壁には、ロックアーム１２７が係脱するロック開口１２９が設けてある（以下、この切換構造を備えた閉じ支援装置を単にトリガー型の閉じ支援装置と言う。）。図１７において、符号１３０はトリガーアーム１２５に設けたトリガー爪、符号１３１は可動ブロック１２１とトリガーベース１２２との間に設けた復帰ばね、符号１３２は受溝１２４の第１受面、符号１３３はトリガー爪１３０を係合待機姿勢に保持するパイロット爪である。
【０００４】
上記のトリガー型の閉じ支援装置によれば、開放状態の戸パネルを閉じ操作するだけで、閉じばねの蓄力状態を開放して戸パネルを閉じ端寄りにおいて閉じ支援でき、同時に閉じ動作をダンパーで制動できる。また、閉じ状態にあった戸パネルを開放操作するだけで閉じばねを蓄力することができ、同時にダンパーを制動待機状態に復帰できる。したがって、使用者は、通常の戸パネルと同様に、戸パネルを単に開閉操作するだけで、閉じ端において閉じ支援機能と制動機能とを発揮させて、戸パネルの閉じ忘れや、戸パネルの跳ね返りなどを解消できる。
【先行技術文献】
【特許文献】
【０００５】
【特許文献１】特開２０１０−２０９５２６号公報（段落番号００５３、図６）
【発明の概要】
【発明が解決しようとする課題】
【０００６】
本発明者は、上記のトリガー型の閉じ支援装置を試作し動作テストを行った。その結果、想定以上の外力が加わるような場合に、切換構造において動作不良を生じるおそれのあることが判明した。たとえば、任意の開放位置から戸パネルを閉じ操作するときは、トリガー爪１３０が切換具１２３の受溝１２４に落ち込み係合するのが正常な動作であるが、戸パネルが乱暴に閉じ操作される場合には、トリガー爪１３０が衝突反力を受けて受溝１２４から離脱することがあった。
【０００７】
上記のように、閉じ移動するトリガー爪１３０が受溝１２４から離脱すると、閉じ支援装置は切換具１２３を素通りし、ダンパーは作動しない。そのため、戸パネルは開口枠に衝突して跳ね返り安全性を確保できない。本発明者は、トリガーばね１２６で落ち込み付勢してあるはずのトリガー爪１３０が、受溝１２４から離脱する原因を探った。その結果、図１７に想像線で示すように、トリガー爪１３０の突端が受溝１２４の第１受面１３２に接当するときの衝突反力で、トリガーアーム１２５が実線で示すようにトリガーばね１２６の付勢力に抗して沈み込み揺動するのが要因であることを確認した。つまり、閉じばねを蓄力した状態においては、トリガー爪１３０は受溝１２４と係合できる姿勢に位置保持されているものの、その状態からさらに沈み込み揺動できる構造になっている点に問題があることを確認した。
【０００８】
また、図１７に想像線で示すように、トリガー爪１３０が受溝１２４の第１受面１３２と係合し始めるときの、両者１３０・１３２の係合部分の寸法が僅かであるため、上記の係合不良を助長していることを確認した。このように、トリガー爪１３０と第１受面１３２との係合量が小さいと、両者１３０・１３２が係合し始めるときの係合動作が、切換構造を構成する各部品のばらつきに大きく左右されることになる。そのため、先の各部品の加工誤差や組立誤差を厳密に管理しなければならず、それに伴い閉じ支援装置の製造に要するコストが嵩むのを避けられなかった。本発明は、上記の技術的背景のもとに提案されたものである。
【０００９】
本発明の目的は、たとえ戸パネルが乱暴に閉じ操作される場合であってもトリガー爪が受溝から離脱するのを阻止して、戸パネルを閉じ端寄りにおいて自動的にゆっくりと閉じ操作して安全性を向上できる引戸の閉じ支援装置を提供することにある。
本発明の目的は、切換構造を構成する各部品の加工誤差や組立誤差を厳密に管理する必要もなく、トリガー爪を受溝に対して確実に落ち込み係合させることができ、したがって全体装置の製造に要するコストを削減できる引戸の閉じ支援装置を提供することにある。
【課題を解決するための手段】
【００１０】
本発明に係る引戸の閉じ支援装置は、ガイドレール２内に組み付けられる閉じ支援ユニット４と、ガイドレール２に固定される切換具２０とを備えている。図３に示すように、閉じ支援ユニット４は、閉じばね２１の張力で戸パネル１を閉じ操作する閉止構造と、閉じばね２１を蓄力できる状態と、蓄力された閉じばね２１の張力を出力できる状態とに閉止構造を切り換える切換構造と、戸パネル１の閉じ動作を制動するダンパー２２とをケース２３に収容して構成する。図４に示すように、切換構造は、可動ブロック３４で復帰ばね５７を介して左右スライド可能に支持されるトリガーベース５１と、トリガーベース５１でシーソー揺動可能に支持されて切換具２０の受溝７９に係脱するトリガーアーム５２と、トリガーアーム５２を係合付勢するトリガーばね６３と、可動ブロック３４に支持されてケース２３のロック開口２５に係脱するロックアーム５３を備えている。このような切換構造を備えたトリガー型の閉じ支援装置において、ロックアーム５３とロック開口２５との係合が解除されたロック解除状態にあるとき、トリガーアーム５２が切換具２０から離れる向きへ沈み込み揺動するのを規制するロック構造が、可動ブロック３４とトリガーアーム５２との間に設けてあることを特徴とする。
【００１１】
図１に示すようにロック構造は、トリガーアーム５２に設けた接当体９０と、可動ブロック３４に設けられて、接当体９０を受け止める規制体８５とで構成する。
【００１２】
ロック構造は、トリガーアーム５２の前後に設けたロックピン９０と、可動ブロック３４に設けられて、前記ロックピン９０を受け止める前後一対のロック腕８５とで構成する。ロックピン９０の揺動領域に臨むアーム凹部５８の前後に、ロック腕８５をスライド案内するガイド部８９を形成する。ロック腕８５がロックピン９０の沈み込み揺動を規制する状態において、ガイド部８９がロック腕８５を受け止めるようにする。
【００１３】
ロック腕８５の突端に、ロックピン９０を受け止める受座８６と、受座８６へ向かって上り傾斜するガイド面８７とを形成する。
【００１４】
トリガーアーム５２は、アーム本体５２ａと、アーム本体５２ａの外面を覆って衝撃を緩和する外装体５２ｂとで構成する。アーム本体５２ａは外装体５２ｂの成形時にインサート固定する。
【発明の効果】
【００１５】
本発明ではトリガー型の閉じ支援装置において、可動ブロック３４とトリガーアーム５２との間にトリガーアーム用のロック構造を設けた。トリガーアーム用のロック構造は、ロックアーム５３がロック開口２５から離脱した状態、つまりロックアーム５３がロック解除された状態において、トリガーアーム５２が切換具２０から離れる向きへ沈み込み揺動するのを規制する。この規制作用によって、切換具２０の受溝７９と係合したトリガー爪６１が受溝７９から離脱するのを防止できる。因みに、トリガー型の閉じ支援装置において、ロックアーム５３はロック開口２５と係合して閉じばね２１を蓄力状態に保持しており、ロックアーム５３がロック解除された状態になるのは以下の状況である。戸パネル１が閉じ状態にあるとき。戸パネル１が閉じ状態から開放操作されて閉じばね２１が蓄力されるまでの間。開放位置にある戸パネル１を閉じ操作する過程で、トリガー爪６１が切換具２０の受溝７９に落ち込み係合した直後とである。
【００１６】
上記のように構成した本発明の閉じ支援装置によれば、たとえ戸パネル１が乱暴に閉じ操作される場合であっても、トリガー爪６１が衝突反力を受けて受溝７９から離脱するのを確実に防止できる。つまり、乱暴な閉じ操作で戸パネル１が切換具２０を素通りして開口枠に衝突するのを確実に防止できる。したがって、戸パネル１を閉じ端寄りにおいて自動的にゆっくりと閉じ操作して跳ね返りを防止でき、トリガー型の閉じ支援装置の安全性を向上できる。また、本発明に係る引戸の閉じ支援装置においては、戸パネル１が閉じ操作されるとき、トリガー爪６１と受溝７９とが、十分に大きな係合寸法で係合しあうようにするので、切換構造を構成する各部品の加工誤差や組立誤差を厳密に管理する必要がない。したがって、従来のトリガー型の閉じ支援装置に比べて、加工や組立の管理の手間を著しく省いて、全体装置の製造に要するコストを削減できる。
【００１７】
トリガーアーム５２に設けた接当体９０と、可動ブロック３４に設けた規制体８５とでロック構造を構成すると、トリガーアーム５２および可動ブロック３４の構造の一部を変更するだけの、より少ない手間でトリガーアーム用のロック構造を構成できる。従って、閉じ支援ユニット４のコンパクトさを損なうこともなくトリガーアーム用のロック構造を付加して、切換構造が作動不良に陥るのを的確に防止できる。
【００１８】
トリガーアーム５２の前後に設けたロックピン９０と、可動ブロック３４に設けた前後一対のロック腕８５とでロック構造を構成し、アーム凹部５８の前後に設けたガイド部８９でロック腕８５をスライド案内すると、トリガーアーム用のロック構造の堅牢度を向上できる。トリガーアーム５２およびロックピン９０の沈み込み揺動をロック腕８５で規制するとき、トリガー爪６１に作用する衝突反力を、ロック腕８５とガイド部８９とが協同して受け止めるからである。また、ロック腕８５をトリガーベース５１に設けたガイド部８９でスライド案内するので、ロック腕８５とガイド部８９との相対スライドを円滑に行って、ロック腕８５によるロックピン９０の受止め作用を安定した状態で的確に行える。
【００１９】
ロック腕８５の突端に、受座８６とガイド面８７を形成すると、衝突反力を受けたトリガー爪６１が切換具２０の受溝７９から離脱しようとするとき、ロックピン９０の下面をガイド面８７ですくいあげ、さらに受座８６で受け止めて、トリガーアーム５２の沈み込み揺動をさらに確実に規制できる。したがって、トリガー爪６１に作用する衝突反力が大きい場合にも、トリガー爪６１が受溝７９から離脱するのをさらに的確に阻止できる。
【００２０】
アーム本体５２ａと、外装体５２ｂとでトリガーアーム５２を構成すると、アーム本体５２ａでトリガーアーム５２の強度を確保しながら、トリガー爪６１が切換具２０の受溝７９と係脱するときの叩打音や衝撃を、外装体５２ｂで吸収し緩和して静音化できる。また、外装体５２ｂの成形時にアーム本体５２ａをインサート固定することにより、外装体５２ｂとアーム本体５２ａを組付ける手間を省きながら、両者５２ａ・５２ｂを強固に一体化できる。
【図面の簡単な説明】
【００２１】
【図１】本発明に係るロック構造の正面図である。
【図２】引戸の正面図である。
【図３】閉じ支援装置の縦断正面図である。
【図４】閉じ支援ユニットの一部を破断した分解正面図である。
【図５】切換構造の分解斜視図である。
【図６】戸パネルを閉じた状態における切換構造の縦断正面図である。
【図７】戸パネルを開放し始めた状態における閉じ支援ユニットの縦断正面図である。
【図８】図７におけるＡ−Ａ線断面図である。
【図９】切換具とトリガー爪の詳細構造を示す縦断正面図である。
【図１０】ロックアームの切り換え動作を示す縦断正面図である。
【図１１】トリガーアームの切り換え動作を示す縦断正面図である。
【図１２】戸パネルを開放した状態における切換構造の縦断正面図である。
【図１３】戸パネルを閉止操作するときの切換構造の動作を示す縦断正面図である。
【図１４】戸パネルが乱暴に閉止されるときの切換構造の動作を示す正面図である。
【図１５】閉じ支援装置の変形例を示す概略平面図である。
【図１６】閉じ支援装置の変形例を示す縦断正面図である。
【図１７】従来のトリガー型の閉じ支援装置の要部を示す縦断正面図である。
【発明を実施するための形態】
【００２２】
（実施例）  図１ないし図１４は本発明に係る引戸の閉じ支援装置の実施例を示す。図２に示す引戸は、ウォークインクロゼットや屋内収納室の出入口を１枚構造の戸パネル１で開閉する場合を示している。なお、本発明における上下、左右とは、図２に示す交差矢印と上下、左右、前後の文字表示に従うものとする。
【００２３】
図２において、出入口に設けられる開口枠の上部には、戸パネル１を開閉案内するガイドレール２が固定してあり、その内部に戸パネル１を吊持するランナー３と、閉じ支援ユニット４が収容してある。ランナー３は、戸パネル１の上部上隅に装着されるランナー台５に対してランナー軸６を介して連結してある。ランナー３で吊持された戸パネル１のふらつきを規制するために、戸パネル１の下面に設けたスライド溝７を床面に固定したガイド８で案内している。符号９は把手である。
【００２４】
図８に示すように、ガイドレール２は、下向きに開口する断面Ｃ字状のアルミニウム条材からなり、その下端に前後一対のレール壁２ａが対向状に形成され、両レール壁２ａの間に先のランナー軸６を通すレール開口２ｂが設けてある。この実施例におけるガイドレール２は、閉じ支援装置を備えていない引戸のランナー用に設けられた既存のガイドレールをそのまま利用しており、一般的なガイドレールに比べてレール内面の上下寸法が小さく設定してある。
【００２５】
図３においてランナー３は、左右に長いランナーブロック１２と、ランナーブロック１２の前後面の左右に配置される４個のローラー１３と、前後で対になるローラー１３を軸支するローラー軸１４などで構成してある。ランナーブロック１２の一側上部には、閉じ支援ユニット４を連結するための連結座１５が横向きに突設されて、その肉壁の内部に板ナット１６が装着してある。ランナー３は、戸パネル１の閉じ端側と開放端側とを吊持するが、閉じ端側のランナー３の連結座１５に、閉じ支援ユニット４のケース２３の端部がボルト１７で連結してある。
【００２６】
閉じ支援装置は、ガイドレール２内に組み付けられる閉じ支援ユニット４と、ガイドレール２の上壁内面に固定される切換具２０とで構成する。図３において閉じ支援ユニット４は、閉じばね２１の張力で戸パネル１を閉じ操作する閉止構造と、切換構造と、戸パネルの閉じ動作を制動するダンパー２２と、これらの部材を収容するケース２３などで構成する。切換構造は、戸パネル１の開閉に連動して切換具２０で切り換え操作されて、閉じばね２１を蓄力できる状態と、蓄力された閉じばね２１の張力を出力できる状態とに、閉止構造を切り換える。
【００２７】
ケース２３は、断面がＣ字状のステンレス条材からなり、その内部に閉じばね２１、閉止構造、切換構造、ダンパー２２が組み付けられる。図４および図５においてケース２３の上面側には、先の各部材の浮き上がりを規制する規制壁２３ａが折り曲げてある。ケース２３の閉じ端寄りの底壁にはロック開口２５が形成され、ケース２３の底壁の中央付近にはダンパー２２のシリンダー４６を保持する爪２６が上向きに折り起こしてある。ケース２３の閉じ端には連結ブロック２７がピン２８でかしめ固定してあり、同様にケース２３の開放端には固定ブロック３３がピン２９でかしめ固定してある。連結ブロック２７は閉じ端側のランナー３の連結座１５の下面に接合されて、板ナット１６に下方からねじ込まれるボルト１７で連結される。
【００２８】
閉止構造は、引っ張りばねからなる閉じばね２１と、閉じばね２１の一端が掛止される固定ブロック３３と、同ばね２１の他端が掛止される可動ブロック３４とで構成する。図４に示すように、固定ブロック３３は射出成形品からなり、可動ブロック３４との対向側面の上下に、閉じばね２１用の掛止片３５と、ダンパー２２の端部を受け止める保持凹部３６とが形成してある。また、固定ブロック３３の開放端側の側面にはブラケット３７が横向きに突設され、ブラケット３７の突端の前後に設けた一対のローラー（移行体）３８をローラー軸３９で遊転自在に軸支している。
【００２９】
ブラケット３７より下側の固定ブロック３３の前後には、ガイドレール２のレール壁２ａで受止められて、閉じ支援ユニット４の浮き上がりを規制する規制片４０が張り出してある。また、固定ブロック３３の内部には、レール開口２ｂに臨む振止めローラー４１が配置されてピン２９で遊転自在に軸支してある。この振止めローラー４１は、前後いずれか一方のレール壁２ａの対向面で受け止められて、閉じ支援ユニット４が蛇行するのを規制する。固定ブロック３３は、ピン２９を利用してケース２３の開放端に固定してあり、これにより、固定ブロック３３と、ケース２３と、ダンパー２２のシリンダー４６とは常に一体化された状態で同行移動する。
【００３０】
図５に示すように、可動ブロック３４は、横長四角形状の射出成形品からなり、その内部に閉じ端側と下面側へ向かって開口する連繋凹部４２が形成してある。可動ブロック３４の固定ブロック３３との対向面の上下には、閉じばね２１用の掛止片４３と、ダンパー２２のピストンロッド４７を係合する係止凹部４４とが形成してある。また、可動ブロック３４のトリガーベース５１側の側端の上部には、後述するトリガーアーム５２の沈み込み揺動を規制するロック腕（規制体）８５が横向きに突設され、その突端に四分円状の受座８６と、受座８６へ向かって上り傾斜するガイド面８７とが形成してある。閉じばね２１は、ケース２３に組まれた固定ブロック３３と可動ブロック３４の各掛止片３５・４３に掛止されて、両ブロック３３・３４を互いに近づく向きに引き寄せ操作する。可動ブロック３４は、ケース２３で相対スライド可能に案内支持してある。
【００３１】
ダンパー２２は、シリンダー４６の内部にオイルが封入してあるシリンダー型のオイルダンパーからなり、ピストンおよびピストンロッド４７がシリンダー４６内へ相対的に退入移動するときの運動エネルギーを吸収して制動する。つまり、戸パネル１が閉じ移動するときに制動作用を発揮でき、したがって、戸パネル１が急に閉じ操作されるような場合でも、その閉じ動作をゆっくりとしたものにできる。シリンダー４６は、固定ブロック３３の保持凹部３６と、ケース２３の爪２６との間に移動不能に嵌め込み装着される。ピストンロッド４７の突端に固定したキャップ４８は、先の係止凹部４４に下面側から係止固定してある。ダンパー２２の上側の空間を利用して、先の閉じばね２１が配置してある。
【００３２】
図５および図６において切換構造は、トリガーベース５１と、トリガーベース５１でシーソー揺動可能に支持されるトリガーアーム５２、および可動ブロック３４に組み付けられるロックアーム５３などで構成する。トリガーベース５１は、角軸状のスライド軸５５と、トリガーアーム５２を収容するアームホルダ５６とを一体に備えた射出成形品からなる。スライド軸５５は、可動ブロック３４の連繋凹部４２で左右スライド自在に案内支持される。アームホルダ５６には、トリガーアーム５２とトリガーばね６３を収容するアーム凹部５８が設けてあり、スライド軸５５側のアーム凹部５８の前後壁には、先のロック腕８５をスライド案内するガイド部８９が形成してある。このガイド部８９の上方空間が、後述するロックピン９０の揺動領域になっている。トリガーベース５１の全体は、スライド軸５５と連繋凹部４２の内奥端との間に配置した圧縮コイル形の復帰ばね５７で、閉じ端側へ向かって進出付勢してある。
【００３３】
トリガーアーム５２は、左右に長いプラスチック成形品からなり、その左右中途部がトリガーベース５１に固定したピン６０で揺動可能に支持してある。ピン６０より右側のアームの上面には、切換具２０と係脱するトリガー爪６１が形成され、トリガー爪６１の基端近傍の前後には丸軸状のロックピン（接当体）９０が突設してある。ピン６０より左側のアームは、トリガーばね６３で揺動付勢された状態におけるトリガーアーム５２の揺動限界を規定するストッパー腕６２として機能する。トリガーアーム５２は、アームホルダ５６の内部に配置した圧縮コイルばねからなるトリガーばね６３で、トリガー爪６１が切換具２０の受溝７９と係合する向き（上向き）に付勢してあり、この付勢状態においてストッパー腕６２がアーム凹部５８の内底で受止められている。
【００３４】
図９に示すように、トリガー爪６１は第１側面９１と、第２側面９２と、これら両者の上端に連続する爪上面９３とで四角形状に形成してある。トリガー爪６１の第１側面９１および第２側面９２と爪上面９３との隅部は丸められており、丸められた第１側面９１側の隅部を符号９４で、第２側面９２側の隅部を符号９５で示している。後者の隅部９５の円弧径は、前者の隅部９４の円弧径より大きく設定してある。
【００３５】
トリガーアーム５２の強度を十分に確保し、さらにトリガー爪６１が切換具２０の受溝７９と係脱するときの叩打音を抑止するために、トリガーアーム５２は、アーム本体５２ａと、アーム本体５２ａの周囲を覆う外装体５２ｂとで構成する。図８および図９に示すように、先に説明したロックピン９０とトリガー爪６１の右半部はアーム本体５２ａと一体に形成してある。アーム本体５２ａは、たとえばポリアセタールなどの機械的強度に優れたプラスチック材を素材にして射出成形してある。外装体５２ｂは、ウレタン樹脂系のプラスチック材を素材にして射出成形してあり、その成形の過程でアーム本体５２ａをインサートして一体化している。先の第１側面９１側の隅部９４は外装体５２ｂと一体に形成され、第２側面９２側の隅部９５はアーム本体５２ａと一体に形成してある。ウレタン樹脂系のプラスチック材で外装体５２ｂを形成することにより、トリガー爪６１が受溝７９と係脱するときの叩打音を緩和吸収して、戸パネル１を開閉するときの切換構造の切換動作に伴う作動音を静音化できる。
【００３６】
ロックアーム５３は、左右に長いくさび状の射出成形品からなり、大半の部分が可動ブロック３４の連繋凹部４２の下側に収容されて、可動ブロック３４に固定したピン６５でシーソー揺動可能に支持してある。ロックアーム５３の右端の上隅には、復帰ばね５７の付勢力に抗してトリガーベース５１を受け止める段部６６が切り欠いてある。段部６６に連続する円弧周面が、ケース２３に設けたロック開口２５と係合するロック係合部６７になっている。
【００３７】
ロックアーム５３は、トリガーベース５１が可動ブロック３４に対してスライド変位するとき変位操作されて、ロック係合部６７がロック開口２５に係合するロック姿勢（図１０（ｂ）に示す状態）と、ロック係合部６７がロック開口２５から離脱するロック解除姿勢（図１０（ａ）に示す状態）とに揺動できる。この姿勢変更を許すために、トリガーアーム５２のスライド軸５５の下面に、先の段部６６の出入りを許す逃げ凹部６８が上凹み状に形成してある。また、段部６６で受け止められるストッパー部６９が、逃げ凹部６８の右側端に隣接する状態で形成してある。さらに、スライド軸５５の基端下面に、ロック状態のロックアーム５３をロック解除操作する操作面７０が斜めに形成してある。ロック解除状態において逃げ凹部６８に入り込んだ段部６６は、逃げ凹部６８の右側の斜面７１を受け止めている（図１０（ａ）参照）。
【００３８】
図９において切換具２０は、ガイドレール２の上壁にビスで締結されるベース７８を有し、ベース７８の下面中央にトリガーアーム５２の姿勢を切り換える第１突起（突起）９６と第２突起（突起）９７を設け、両突起９６・９７の間にトリガー爪６１と係脱する受溝７９を形成してなる。受溝７９の左の溝側面には、トリガー爪６１の第１側面９１を受け止める第１受面８０が形成され、受溝７９の右の溝側面には、トリガー爪６１の第２側面９２を受け止める第２受面８１が形成してある。第１受面８０がベース７８に対して直交するのに対し、第２受面８１は開放端側へ向かって下り傾斜する斜面で形成してある。第１受面８０および第１側面９１は、互いに垂直面に沿って接当し、さらに両者８０・９１の係合量は、従来のトリガー爪と受溝の係合量に比べて十分に大きく設定してある。具体的には、従来のトリガー爪と受溝の係合量が１ｍｍであったのに対して、第１受面８０と第１側面９１の係合量は３ｍｍとして、トリガー爪６１が衝突反力で受溝７９から離脱するのを困難化した。
【００３９】
第１突起９６は、第１受面８０と、第１受面８０の下端に連続する水平の下端面８２と、下端面８２に連続して閉じ端側へ向かって上り傾斜する第１導入面９８とで台形状に形成してある。また、第２突起９７は、第２受面８１と、第２受面８１の下端に連続する水平の下端面８３と、下端面８３に連続して開放端側へ向かって上り傾斜する第２導入面９９とで三角形状に形成してある。第１突起９６の下端面８２は、第１突起９７の下端面８３よりも下方に位置させてあって、ケース２３の上開口面に入り込んでいる。第１、第２の各突起９６・９７は、ガイドレール２の前後方向の中央に位置しているので、ランナー３が開閉移動するとき、切換具２０がランナーブロック１２やローラー１３と干渉することはない。
【００４０】
可動ブロック３４、トリガーベース５１、トリガーアーム５２、およびロックアーム５３は次の手順で組み立てる。まず、トリガーベース５１にトリガーばね６３とトリガーアーム５２を組み付けて、トリガーアーム５２とトリガーベース５１をピン６０で連結する。次ぎに、トリガーベース５１のスライド軸５５に復帰ばね５７を組み付けて、これら両者５５・５７を可動ブロック３４の連携凹部４２に差し込み、さらにロックアーム５３をスライド軸５５の下側に組み付けてピン６５で止め付ける。この状態においてはロックアーム５３の段部６６がスライド軸５５の下面に設けたストッパー部６９を受け止めるので、スライド軸５５が連携凹部４２から抜け出ることはない（図４参照）。また、可動ブロック３４とトリガーベース５１とは、復帰ばね５７の付勢力を受けて互いに離れている。
【００４１】
ロックピン９０の周辺に注目すると、ガイド部８９に臨むトリガーベース５１の前後に設けてあって、その上面でロック腕８５をスライド案内している。ロック腕８５はロックピン９０の揺動領域から開放端側へずれた位置に保持されている。また、図８に示すように、ロックピン９０、ロック腕８５、およびガイド部８９のそれぞれは、トリガーベース５１の前後幅の範囲内に設けられている。これは、トリガーアーム５２の下方揺動を規制するロック構造を、ケース２３の前後幅内に収まるように構成して、閉じ支援ユニット４をコンパクト化するためである。
【００４２】
戸パネル１が乱暴に開閉される場合などの、異常時におけるトリガーアーム５２の誤作動を避けるために、トリガーアーム用のロック構造を設けている。このロック構造は、トリガーアーム５２に設けたロックピン９０と、可動ブロック３４に設けたロック腕８５とからなり、例えば、戸パネル１が乱暴に閉じ操作される場合に、ロック腕８５がロックピン９０の揺動領域の下側に入り込んで、その受座８６でロックピン９０を受け止めて、トリガーアーム５２が受溝７９から離れる向きに沈み込み揺動するのを規制する。
【００４３】
以下、閉じ支援ユニット４の動作を説明する。図６に示すように、戸パネル１が閉じ状態にあるとき、トリガーアーム５２のトリガー爪６１は切換具２０の受溝７９に落ち込んでおり、ロックピン９０はロック腕８５の受座８６で受止められていて、トリガーアーム５２の下方揺動が規制されている。ロックアーム５３はロック解除姿勢に保持されて、段部６６の一部が逃げ凹部６８の内部に入り込んでいる。この状態のトリガーベース５１には復帰ばね５７の付勢力が作用しており、復帰ばね５７の付勢力は、逃げ凹部６８の斜面７１を介してロックアーム５３にも作用している。そのため、ロックアーム５３には時計回転方向の揺動モーメントが作用している。しかし、ロックアーム５３の下面がケース２３の底壁で受け止められているため、ロックアーム５３が揺動することはない。閉じばね２１は、固定ブロック３３と可動ブロック３４とを接近する向きに引き寄せて全体が縮んだ状態になっており、連結ブロック２７とトリガーベース５１の間隔寸法は最大の状態になっている。
【００４４】
（開放時の閉止構造および切換構造の動作）
上記の状態から戸パネル１を開放操作すると、ケース２３、固定ブロック３３、シリンダー４６がランナー３に同行して開放方向へ移動する。このとき、トリガーアーム５２が切換具２０で受け止められているため可動ブロック３４は移動しない。したがって、図７に示すようにケース２３および固定ブロック３３の移動に伴なって、閉じばね２１は徐々に伸長されて蓄力する。閉じばね２１が伸長するのに伴なって、図１０（ａ）に示すようにロック開口２５がロックアーム５３の下方に接近する。
【００４５】
ロック開口２５がロックアーム５３の真下に位置した状態では、図１０（ｂ）に示すように、時計回転方向の揺動モーメントを受けたロックアーム５３が、ロック開口２５に落ち込んでロック姿勢に切り換わり、ロック係合部６７がロック開口２５の開口縁で受け止められる。この状態では、可動ブロック３４が固定ブロック３３側へ移動しようとするのを、ロックアーム５３で阻止しており、したがって閉じばね２１を伸長した蓄力状態に保持できる。
【００４６】
ロックアーム５３がロック開口２５に落ち込んでロック姿勢に切換わるのと同時に、段部６６と斜面７１との係合が解除されるので、トリガーベース５１は斜面７１とストッパー部６９の左右間隔分だけ復帰ばね５７で閉じ端側へ押し出される。その結果、図１０（ｂ）に示すように、そのストッパー部６９が段部６６で受け止められ、ロックピン９０とロック腕８５の受座８６とが相対的に左右に分離して、トリガーアーム５２の下方揺動を許す状態となる。このとき、トリガー爪６１は第１受面８０に接当している。
【００４７】
引き続き戸パネル１を開放操作することにより、図１１（ａ）に示すようにトリガー爪６１の第２側面９２側の隅部９５が受溝７９の第２受面８１に接当する。そして、隅部９５に作用する第２受面８１の押し付け反力によって、トリガーアーム５２の全体がトリガーばね６３の付勢力に抗しながら時計回転方向へ揺動する。そのためトリガー爪６１は、図１１（ｂ）に示すように、受溝７９から抜け出て係合解除状態に切り換わり、第２突起９７の下面を潜り抜ける。この潜り抜け動作を円滑に行うために、隅部９５の円弧径を大きく設定している。このときのロック腕８５は、ロックピン９０の揺動領域から開放端側へ退避しているので、ロックピン９０がロック腕８５で受け止められることはない。以後は、図１２に示すように、ロックアーム５３がロック姿勢に切り換わった状態を維持したままで、閉じ支援ユニット４がランナー３に同行移動する。このとき、トリガーアーム５２のストッパー腕６２はアーム凹部５８の内底で受け止められて、トリガー爪６１の突端の一部がケース２３の開口面より上方に突出している。
【００４８】
（閉じ時の閉止構造および切換構造の動作）
切換具２０より開放端側の任意の開放位置から戸パネル１を閉じ操作すると、閉じ端側のランナー３が切換具２０の下面側を通過する。さらに、図１３（ａ）に示すように、トリガー爪６１の隅部９４が第２突起９７の第２導入面９９に接当し、トリガーアーム５２の全体がトリガーばね６３の付勢力に抗しながら時計回転方向へ揺動して、トリガー爪６１が受溝７９に落ち込み係合する。このときの第１側面９１は図１３（ｂ）に示すように第１受面８０に受け止められる。トリガー爪６１の隅部９４が第２導入面９９に接当するときの叩打音と、第１側面９１が第１受面８０に接当するときの叩打音は、トリガーアーム５２の外装体５２ｂが吸収し緩和する。
【００４９】
上記の状態のトリガーアーム５２およびトリガーベース５１は閉じ方向へ移動できないが、ロックアーム５３はロック開口２５内を閉じ端側へ向かって移動できる状態にある。そのため、可動ブロック３４は復帰ばね５７を圧縮しながらトリガーベース５１側へスライドする。同時にロックアーム５３は逃げ凹部６８内を閉じ端側へ移動し、その端部が操作面７０に接当して反時計回転方向へと揺動されて、ロック開口２５から離脱する。その結果、図１３（ｃ）に示すように、ロックアーム５３がロック開口２５から抜け出てロック解除姿勢に切り換わる。
【００５０】
ロックアーム５３がロック解除状態に切り換わった状態では、ロックアーム５３による可動ブロック３４の移動規制作用は解除されるものの、今度はトリガー爪６１が受溝７９と係合して、可動ブロック３４の移動を規制する。さらに、ロックアーム５３がロック解除状態に切り換わるのと同時に、ロック腕８５がロックピン９０の側へ相対スライドして、その受座８６でロックピン９０を受け止めて、トリガーアーム５２の時計回転方向の揺動を規制する。以後は、ケース２３および固定ブロック３３などが、閉じばね２１に引っ張られて閉じ端側へ移動し、戸パネル１を閉止操作する。このとき、ダンパー２２によって閉じ動作が制動されるので、戸パネル１はゆっくりと閉じ移動する。
【００５１】
（異常時の閉止構造および切換構造の動作）
たとえば、戸パネル１が切換具２０より開放端側の任意の開放位置から乱暴に閉じ操作される場合には、先に説明した場合と同様に、トリガー爪６１の隅部９４が第２突起９７の第２導入面９９に接当する（図１３（ａ）参照）。また、トリガーアーム５２の全体がトリガーばね６３の付勢力に抗しながら時計回転方向へ揺動して、トリガー爪６１が第２突起９７を潜り抜けて受溝７９に落ち込み係合する。さらに、トリガー爪６１は閉じ方向へ移動して、その第１側面９１が図１４に想像線で示すように第１受面８０に衝突する。衝突反力を受けたトリガー爪６１は、図１４に実線で示すように、トリガーアーム５２を時計回転方向へ揺動させる。
【００５２】
しかし、閉じ力を受けた可動ブロック３４とロックアーム５３とは、先に説明したように、復帰ばね５７を圧縮しながらトリガーベース５１側へスライドできるので、ロック腕８５がロックピン９０の下方に相対的に進出する。その結果、図１４に示すようにロックピン９０のガイド面８７がロックピン９０の下半周面に接当して、トリガーアーム５２のアーム端をロックピン９０を介してすくい上げ、さらに図１に示すように受座８６で受け止めて、トリガー爪６１が受溝７９から離脱するのを規制する。このように、ロック腕８５とロックピン９０とで、トリガー爪６１が受溝７９から離脱するのを規制すると、戸パネルが乱暴に閉じ操作される場合であっても、トリガー爪６１が受溝７９に落ち込み係合した状態を維持して、戸パネル１が切換具２０を素通りして開口枠に衝突するのを防止できる。また、戸パネル１の跳ね返りを防止して安全性を向上できる。
【００５３】
以上の動作説明から理解できるように、ロックアーム５３とロック開口２５との係合が解除された状態であって、戸パネル１が閉じ操作されるときに、ロックピン９０がロック腕８５で受止められる。これによりトリガーアーム５２は、トリガーアーム用のロック構造によって切換具２０から離れる向きへ沈み込み揺動できないように規制される。
【００５４】
閉じ支援ユニット４におけるケース２３の前後幅、および振止めローラー４１の直径寸法は、レール開口２ｂの開口幅Ｅ（図８参照）より僅かに小さく設定してある。同様に、ローラー３８の直径寸法は、レール開口２ｂの開口幅Ｅより僅かに小さく設定してある。これにより、閉じ支援ユニット４は従来の閉じ支援ユニットに比べて著しく簡単にガイドレール２に組付けることができる。
【００５５】
詳しくは、閉じ支援ユニット４の全体を縦長姿勢にした状態で、固定ブロック３３側のローラー３８を、ガイドレール２のレール開口２ｂからレール内に差し込み、閉じ支援ユニット４を９０度旋回してローラー３８がレール開口２ｂを跨ぐようにする。次ぎに、ローラー３８を支点にしてケース２３をガイドレール２の内部に差し込み、その端部に固定した連結ブロック２７をランナー３の連結座１５にボルト１７で連結する。
【００５６】
施工時の勘違いや錯誤などによって、戸パネル１を左右のランナーに吊り込んだ状態において、ロックアーム５３がロック解除姿勢に切り換わっている場合がある。その場合には、ロックアーム５３をロック姿勢にリセットする必要があるが、本発明の閉じ支援ユニット４によれば、閉じ支援ユニット４をガイドレール２から取り外す必要もなく、ロックアーム５３のリセット作業を誰もが簡単に行なえる。
【００５７】
ロックアーム５３がロック解除姿勢に切り換わっている場合には、可動ブロック３４が閉じばね２１で固定ブロック３３側へ相対的に引き寄せられている。戸パネル１を閉じ端まで移動操作すると、図６に示すようにトリガー爪６１が受溝７９に落ち込み係合して、可動ブロック３４の移動が規制される。この状態で、戸パネル１を開放操作すると、先に説明したように、ケース２３を可動ブロック３４に対してスライド変位させて閉じばね２１を蓄力でき、ばねの伸長ストロークの終端寄りでロックアーム５３をロック姿勢に切り換えることができる。つまり、戸パネル１を一旦閉じ操作した後、開放操作するだけの簡単な操作で、ロックアーム５３をリセットし、閉じ支援機能を適正に機能させることができる。トリガー爪６１が受溝７９に落ち込み係合する時のリセット動作を容易化するために、受溝７９の左右幅をトリガー爪６１の左右幅より僅かに大きく設定している。
【００５８】
上記のように構成した閉じ支援装置によれば、閉じ状態の戸パネル１を開放操作するだけで、閉じばね２１を蓄力された状態に復帰保持でき、同時にダンパー２２を制動待機状態に復帰保持できる。したがって、使用者は、通常の戸パネルと同様に、単に戸パネル１を開閉操作するだけで、閉じ端において閉じ支援機能と制動機能とを発揮させて、戸パネル１の閉じ忘れや、乱暴に閉じ操作されるときの跳ね返りを防止できる。
【００５９】
また、戸パネル１が乱暴に閉じ操作されるような場合であっても、ロックピン９０をロック腕８５で受け止めて、トリガー爪６１が衝突反力を受けて受溝７９から離脱するのを阻止できるので、切換構造が作動不良に陥るのを防止できる。したがって、閉じ支援装置を常に適正に作動させて、トリガー型の閉じ支援装置の安全性と信頼性を向上できる。また、従来のトリガー型の閉じ支援装置においては、戸パネルを閉じ操作するときのトリガー爪と受溝の係合量が僅かであるため、閉じ支援装置を構成する部品の加工誤差や組立誤差を厳密に管理する必要があった。しかし、本発明に係るトリガー型の閉じ支援装置においては、十分に余裕のある状態でトリガー爪６１と受溝７９とを係合させるので、閉じ支援装置を構成する部品に加工誤差や組立誤差があったとしても、トリガー爪６１と受溝７９とを支障なく係合することができる。したがって、支援装置を構成する部品の加工や組み立ての管理の手間を大幅に軽減して、従来のトリガー型の閉じ支援装置に比べて全体装置の製造に要するコストを削減できる。
【００６０】
また、切換具２０を除く構成部品の全てをケース２３に組み付けて閉じ支援ユニット４としてユニット部品化するので、施工時に閉じ支援装置の組み立てを行なう必要がなく、その分だけ施工の手間を省くことができる。また、ダンパー２２として、充分な制動力を発揮できるにもかかわらず、小形でコンパクトなシリンダー型のオイルダンパーを使用するので、閉じ支援ユニット４の全体をコンパクト化して、既存のガイドレール２であっても支障なく適用できる、汎用性に優れた閉じ支援ユニット４が得られる。
【００６１】
トリガーベース５１、トリガーアーム５２、可動ブロック３４に組み付けられるロックアーム５３などで切換構造を構成し、トリガーアーム５２およびロックアーム５３の姿勢の切り換えを各機構部品の機械的な動作によって行なうので、戸パネル１の開閉を円滑に、しかもより小さな力で軽快に行なえる。戸パネル１の大きさや重量が異なる場合でも切換構造を共通して適用できる。
【００６２】
図１５および図１６は、閉じばね２１を圧縮コイル形のばねで構成した切換構造の変形例を示している。そこでは、連結ブロック２７の後面と可動ブロック３４の後面のそれぞれにばね受座１０１・１０２を設け、これら両者の間に閉じばね２１を配置した。図１５（ａ）は閉じばね２１が蓄力された状態を示し、図１５（ｂ）は閉じばね２１が伸長した状態を示している。ケース２３には可動ブロック３４側のばね受座１０２の往復動を許すスライド溝１０３が形成してある。
【００６３】
図１６は、切換具２０より開放端側の任意の開放位置から戸パネル１を閉じ操作して、トリガー爪６１が第２突起９７を潜り抜け受溝７９に落ち込み係合し、ロックアーム５３がロック解除された状態を示している。この状態では、受溝７９とトリガー爪６１が係合して可動ブロック３４の移動を規制しており、可動ブロック３４に連結したピストンロッド４７は静止している。そのため、ケース２３、固定ブロック３３、およびシリンダー４６が、閉じばね２１に押されて閉じ端側へ移動し、戸パネル１の閉止移動を支援する。同時に、ダンパー２２によって閉じ動作が制動されるので、戸パネル１はゆっくりと閉じ移動する。なお、閉じ状態の戸パネル１を開放操作するときは、ケース２３、固定ブロック３３、およびシリンダー４６が開放方向へ移動するのに伴い、閉じばね２１が圧縮されて蓄力され、ロックアーム５３がロック開口２５に落ち込み係合して蓄力状態を保持する。他は先の実施例と同じであるので、同じ部材に同じ符号を付してその説明を省略する。
【００６４】
上記の実施例では、トリガーアーム５２の前後に設けたロックピン９０を、前後一対のロック腕８５で受け止めるようにしたが、その必要はない。例えば、トリガーアーム５２の開放端側の側面に、下向きの壁面を備えた段部あるいは切欠などの接当部（接当体）９０を設けておき、この接当部９０を可動ブロック３４に設けた突起状の規制体８５で受け止めて、トリガーアーム５２の沈み込み揺動を規制することができる。また、トリガーアーム５２の先端の前後いずれかに、規制片４０と同様の突片を張り出して接当体９０とし、これを可動ブロック３４に設けた突起からなる規制体８５で受け止めて、トリガーアーム５２の沈み込み揺動を規制することができる。
【００６５】
また、上記の実施例では、戸パネル１が吊車型のランナー３で支持してある場合について説明したが、本発明の閉じ支援ユニット４は、戸パネル１が戸車型のランナー３で支持してある場合にも支障なく適用できる。閉じ支援ユニット４とランナー３とは、ボルト１７で締結する必要はなく、ピンや、互いに嵌合する係合構造で連結することができる。ケース２３を支持するローラー３８はスライダーに変更することができる。
【符号の説明】
【００６６】
１  戸パネル
２  ガイドレール
４  閉じ支援ユニット
２０  切換具
２１  閉じばね
２２  ダンパー
２３  ケース
３３  固定ブロック
３４  可動ブロック
５１  トリガーベース
５２  トリガーアーム
５３  ロックアーム
６１  トリガーアームのトリガー爪
６３  トリガーばね
７９  切換具の受溝
８５  ロック腕（規制体）
８６  ロック腕の受座
８９  ロック腕用のガイド部
９０  ロックピン（接当体）
【図１】
0005480104.tif 000002
【図２】
0005480104.tif 000003
【図３】
0005480104.tif 000004
【図４】
0005480104.tif 000005
【図５】
0005480104.tif 000006
【図６】
0005480104.tif 000007
【図７】
0005480104.tif 000008
【図８】
0005480104.tif 000009
【図９】
0005480104.tif 000010
【図１０】
0005480104.tif 000011
【図１１】
0005480104.tif 000012
【図１２】
0005480104.tif 000013
【図１３】
0005480104.tif 000014
【図１４】
0005480104.tif 000015
【図１５】
0005480104.tif 000016
【図１６】
0005480104.tif 000017
【図１７】
0005480104.tif 000018